(57)【要約】【課題】夏場の屋外における土木建設工事現場の気温上昇を抑制することができ、汎用性に優れ、工事現場の移動にも容易に対応可能であって、使い方も簡単な、ミスト発生装置を提供する。【解決手段】ミスト発生装置１００は、給水源（水槽６０）から、ホース６５を経由して、送給される水を工事現場Ｘに向かってミスト状に散布する複数の噴霧ノズル１０と、複数の噴霧ノズル１０を、それぞれ工事現場Ｘに向かって噴霧可能な状態に保持する保持手段である門型構造体３０と、門型構造体３０を一対のレールＲに沿って移動可能に支持する複数の車輪５０と、を備えている。【選択図】図１
2018141329.tif 000002
【特許請求の範囲】
【請求項１】
給水源から送給される水を工事現場に向かってミスト状に散布する噴霧ノズルと、
前記噴霧ノズルを、前記工事現場に向かって噴霧可能な状態に保持する保持手段と、
前記保持手段を移動可能に支持する複数の車輪と、を備えたミスト発生装置。
【請求項２】
前記保持手段が、前記工事現場を跨ぐように配置可能な門型構造体である、請求項１記載のミスト発生装置。
【請求項３】
ミスト散布用の水を貯留可能な水槽と、前記水槽内の水を前記噴霧ノズルへ供給するポンプと、前記ポンプを駆動するモータと、前記モータへ給電する発電機と、を備えた請求項１または２記載のミスト発生装置。
【請求項４】
前記保持手段と前記車輪との間に長さ変更可能な支持脚を備えた請求項１〜３のいずれかの項に記載のミスト発生装置。
【請求項５】
前記保持手段が、可視光線、紫外線若しくは赤外線の少なくとも一つを遮蔽する機能を有する遮光部材を備えた請求項１〜４のいずれかの項に記載のミスト発生装置。
【発明の詳細な説明】
【技術分野】
【０００１】
本発明は、夏場の屋外における土木建設工事の作業現場などのように、気温が高くなりがちな作業エリアの気温上昇を抑制するために使用するミスト発生装置に関する。
【背景技術】
【０００２】
夏場の屋外における土木建設工事の作業現場は直射日光を浴びるだけでなく、地面からの照り返しなどもあるので、作業エリアの気温は高くなり、作業環境は過酷であり、作業者の肉体的負担が大きいのが実状である。
【０００３】
このような問題を解決するため、従来、様々な提案がなされているが、本発明に関連するものとして、例えば、特許文献１に記載された「建設現場の噴霧冷却システムと噴霧冷却方法」（以下、「噴霧冷却システム」と略記する。）がある。
【０００４】
特許文献１に記載された「噴霧冷却システム」は、噴霧ノズルと、水道と噴霧ノズルとを直結する管路と、を備え、水道の水圧により噴霧ノズルから作業空間に向かって水道水を噴霧する、というものである。
【先行技術文献】
【特許文献】
【０００５】
【特許文献１】特開２００８−１２７８０４号公報
【発明の概要】
【発明が解決しようとする課題】
【０００６】
特許文献１に記載された「噴霧冷却システム」は、工事現場において、安価で且つ簡便に使用することができる旨、当該特許文献１中に記載されているが、それぞれの工事現場の状況に応じて、噴霧ノズルを所定状態に確実に保持する手段を設けなければならないので、却って煩雑となることがある。
【０００７】
また、特許文献１に記載された「噴霧冷却システム」は、建築物の地下部分や地下構造物の施工現場や建築物の解体現場などのように、作業現場が何らかの構造物で囲まれている場合あるいは作業現場が所定範囲内に限られている場合などには好適に使用することができる。
【０００８】
しかしながら、屋外で行われる道路工事やマンホール関連工事などのように、作業現場の周りが開放状態であったり、工事の進捗に伴って作業現場が徐々に移動していったりするような工事現場には、特許文献１に記載された「噴霧冷却システム」は不向きであり、汎用性に劣る面がある。
【０００９】
そこで、本発明が解決しようとする課題は、夏場の屋外における土木建設工事現場の気温上昇を抑制することができ、汎用性に優れ、工事現場の移動にも容易に対応可能であって、使い方も簡単な、ミスト発生装置を提供することにある。
【課題を解決するための手段】
【００１０】
本発明のミスト発生装置は、
給水源から送給される水を工事現場に向かってミスト状に散布する噴霧ノズルと、
前記噴霧ノズルを、前記工事現場に向かって噴霧可能な状態に保持する保持手段と、
前記保持手段を移動可能に支持する複数の車輪と、を備えたことを特徴とする。
【００１１】
ここで、前記ミスト発生装置においては、前記保持手段が、前記工事現場を跨ぐように配置可能な門型構造体であることが望ましい。
【００１２】
また、前記ミスト発生装置においては、ミスト散布用の水を貯留可能な水槽と、前記水槽内の水を前記噴霧ノズルへ供給するポンプと、前記ポンプを駆動するモータと、前記モータへ給電する発電機と、を備えたものとすることができる。
【００１３】
さらに、前記ミスト発生装置においては、前記保持手段と前記車輪との間に長さ変更可能な支持脚を備えたものとすることができる。
【００１４】
一方、ミスト発生装置においては、前記保持手段が、可視光線、紫外線若しくは赤外線の少なくとも一つを遮蔽する機能を有する遮光部を備えたものとすることもできる。
【発明の効果】
【００１５】
本発明により、夏場の屋外における土木建設工事現場の気温上昇を抑制することができ、汎用性に優れ、工事現場の移動にも容易に対応可能であって、使い方も簡単な、ミスト発生装置を提供することができる。
【図面の簡単な説明】
【００１６】
【図１】本発明の実施形態であるミスト発生装置を示す一部省略斜視図である。
【図２】図１中の矢線Ａ方向から見たミスト発生装置の使用状態を示す一部省略正面図である。
【図３】図１に示すミスト発生装置の傾斜面における使用状態を示す一部省略斜視図である。
【発明を実施するための形態】
【００１７】
以下、図１〜図３に基づいて、本発明の実施形態であるミスト発生装置１００について説明する。
【００１８】
図１，図２に示すように、本実施形態のミスト発生装置１００は、給水源（水槽６０）から送給される水を工事現場Ｘに向かってミスト状に散布する複数の噴霧ノズル１０と、複数の噴霧ノズル１０を、それぞれ工事現場Ｘに向かって噴霧可能な状態に保持する保持手段である門型構造体３０と、門型構造体３０を一対のレールＲに沿って移動可能に支持する複数の車輪５０と、を備えている。
【００１９】
門型構造体３０は、工事現場Ｘを跨ぐように配置可能であり、アルミニウム製の複数の長尺材（支柱３１ａ〜３１ｄ，梁材３２ａ，３２ｂ，天井材３３ａ，３３ｂ，３３ｃ、水平補強材３４ａ，３４ｂなど）を三次元格子状に組み合わせ、コーナ部Ｃなどを接合することによって形成されている。また、必要に応じて筋交３９が設けられている。
【００２０】
ミスト発生装置１００においては、ミスト散布用の水を貯留可能な水槽６０と、水槽６０内の水を噴霧ノズル１０へ供給するポンプ６１と、ポンプ６１を駆動するモータ６２と、モータ６２へ給電する発電機６３と、を備えている。水槽６０，ポンプ６１，モータ６２及び発電機６３などは、移動可能な台車６４上に配置されている。
【００２１】
門型構造体３０の天井部３５は、レールＲと平行をなす一対の梁材３２ａ，３２ｂと、梁材３２ａ，３２ｂの間に当該梁材３２ａ，３２ｂと直交方向をなし、互いに平行をなすように配置、接合された３本の天井材３３ａ，３３ｂ，３３ｃと、によって形成されている。３本の天井材３３ａ，３３ｂ，３３ｃの下方には、それぞれ給水管１１ａ，１１ｂ，１１ｃが各天井材３３ａ，３３ｂ，３３ｃと略平行をなすように取り付けられている。
【００２２】
給水管１１ａ，１１ｂ，１１ｃの下面側には、複数の噴霧ノズル１０が給水管１１ａ，１１ｂ，１１ｃの長手方向に沿って所定間隔をおいて接続されている。給水管１１ａ，１１ｂ，１１ｃの一方の端部は、給水管１１ａ，１１ｂ，１１ｃと直交するように配置された給水管１２に接続されている。給水管１２の長手方向の中央付近には、ポンプ６１から延設されたホース６５の下流側が接続されている。
【００２３】
門型構造体３０の天井部３５は、その複数のコーナ部Ｃにそれぞれ接合された複数の支柱３１ａ，３１ｂ，３１ｃ，３１ｄによって支えられている。門型構造体３０を構成する数の支柱３１ａ，３１ｂ，３１ｃ，３１ｄと車輪５０との間には、それぞれ長さ変更可能な支持脚３６ａ，３６ｂ，３６ｃ，３６ｄを備えている。
【００２４】
支持脚３６ａ，３６ｂ，３６ｃ，３６ｄは、それぞれ二重管構造となっているので、締緩部３７ａ，３７ｂ，３７ｃ，３７ｄを緩めれば、支持脚３６ａ，３６ｂ，３６ｃ，３６ｄは長手方向にスライド状に伸縮可能であり、締緩部３７ａ，３７ｂ，３７ｃ，３７ｄを締め付ければ、所定長さで保持することができる。
【００２５】
図２に示すように、門型構造体３０の内部は、作業者Ｗが支障なく土木作業を行える広さを有している。門型構造体３０はレールＲに沿って自走可能なモータ（図示せず）を備えており、門型構造体３０の支柱３１ｂの内側には、門型構造体３０の前進、後退及び停止の操作を行うための操作盤４０を備えている。また、操作盤４０においては、ポンプ６１を駆動するモータ６２の始動、停止及び回転数制御などの操作を行うこともできる。
【００２６】
さらに、ミスト発生装置１００においては、門型構造体３０の天井部３５や側面部３８などに、可視光線、紫外線若しくは赤外線の少なくとも一つを遮蔽する機能を有する遮光部（図示せず）を設けることもできる。
【００２７】
ミスト発生装置１００を使用する場合は、図２に示すように、工事現場Ｘを跨ぐように門型構造体３０を設置し、操作盤４０を操作して、モータ６２を始動させれば、ポンプ６１によって水槽６０内の水がホース６５を経由して給水管１２から給水管１１ａ，１１ｂ，１１ｃへ供給され、複数の噴霧ノズル１０からそれぞれミスト状となって噴出する。
噴霧ノズル１０から噴射されたミストは、門型構造体３０の内部の工事現場Ｘにおいて広く拡散していくのでので、工事現場Ｘの気温を下降させるとともに、気温の上昇を抑制することができる。
【００２８】
ミスト発生装置１００は、施工現場ごとに、噴霧ノズル１０の支持手段を設ける必要がないので、汎用性に優れている。また、門型構造体３０はレールＲに沿って走行可能であるため、工事現場の移動にも容易に対応可能であり、使い方も簡単である。なお、車輪５０の代わりに、ゴムタイヤ（図示せず）を配置すれば、レールＲを敷設していない場所でも走行可能となる。
【００２９】
前述したように、支持脚３６ａ，３６ｂ，３６ｃ，３６ｄの長さは、締緩部３７ａ，３７ｂ，３７ｃ，３７ｄを緩めることによって変更可能であるため、例えば、図３に示すように、支持脚３６ｃ，３６ｄの長さはそのままで、支持脚３６ａ，３６ｂを長く設定すれば、レールＲの長さ方向に傾斜した場所においても使用可能である。この場合、車輪５０は制動機構（図示せず）によってブレーキ状が掛かっているので、下り方向へ動き出すことはなない。
【００３０】
なお、支持脚３６ａ，３６ｃ（若しくは支持脚３６ｂ，３６ｄ）の長さはそのままで、支持脚３６ｂ，３６ｄ（若しくは支持脚３６ａ，３６ｃ）を長く設定すれば、レールＲと直交する方向に傾斜した場所においても使用可能である。
【００３１】
なお、図１〜図３に基づいて説明したミスト発生装置１００は、本発明の一例を示すものであり、本発明のミスト発生装置は前述したミスト発生装置１００に限定されない。
【産業上の利用可能性】
【００３２】
本発明に係るミスト発生装置は、夏場の土木建設工事現場の作業環境を快適化する手段として、土木建設業などの作業分野において、広く利用することができる。
【符号の説明】
【００３３】
１０  噴霧ノズル
１１ａ，１１ｂ，１１ｃ，１２  給水管
３０  門型構造体
３１ａ，３１ｂ，３１ｃ，３１ｄ  支柱
３２ａ，３２ｂ  梁材
３３ａ，３３ｂ，３３ｃ  天井材
３４ａ，３４ｂ  水平補強材
３５  天井部
３９  筋交
４０  操作盤
５０  車輪
６０  水槽
６１  ポンプ
６２  モータ
６３  発電機
６４  台車
６５  ホース
１００  ミスト発生装置
Ｃ  コーナ部
Ｒ  レール
Ｘ  工事現場
Ｗ  作業者
【図１】
2018141329.tif 000003
【図２】
2018141329.tif 000004
【図３】
2018141329.tif 000005